(57)【要約】  【課題】    一部又は全体が金属からなる金属製バッグにおいて、内部に通信機能のある携帯端末を入れても携帯端末が電波を受信することができるようにする。  【解決手段】通信機能のある携帯端末（例えば携帯電話機）１６を保持する携帯端末保持部１０を内部に備え、一端部が携帯端末保持部１０に携帯端末１６を保持したとき該携帯端末１６のアンテナ１８と接し、他端部が外部に露出する乃至電磁的露出部２２近傍に位置するケーブル２０を有する。  【効果】    バッグ外部と、携帯端末１６のアンテナ１８との間がケーブル２０により接続されるので、バッグ外部と携帯端末１６との間の電波の伝達が可能乃至良好となる。【選択図】    図１
2005073913.tif 000002
【特許請求の範囲】
【請求項１】
一部又は全体が金属からなる金属製バッグにおいて、
一端部が内部の通信機能を有する携帯端末のアンテナ部分と接続され得るようにされ、他端部が外部に露出する乃至電磁的露出部近傍に位置するケーブルを有する
ことを特徴とする金属製バッグ。
【請求項２】
一部又は全体が金属からなる金属製バッグにおいて、
通信機能のある携帯端末を保持する携帯端末保持部を内部に備え、
一端部が上記携帯端末保持部に携帯端末を保持したとき該携帯端末のアンテナ部分と接続され得るようにされ、他端部が外部に露出する乃至電磁的露出部近傍に位置するケーブルを有する
ことを特徴とする金属製バッグ
【請求項３】
開閉部に閉じ状態でも内部と外部を連通させるスリットがあり、
上記ケーブルの上記他端部が上記スリット近傍に位置している
ことを特徴とする請求項１又は２記載の金属製バッグ。
【請求項４】
開閉部に絶縁性を有する材料からなるパッキングがあり、
上記ケーブルの上記他端部が上記パッキング近傍に位置している
ことを特徴とする請求項１又は２記載の金属製バッグ。
【発明の詳細な説明】
【技術分野】
【０００１】
本発明は、一部又は全体が金属からなる金属製バッグ、特に、通信機能のある携帯端末を保持する金属製バッグに関する。
【背景技術】
【０００２】
バッグは通勤、営業に際して必要な移動に持参することが不可欠の場合が多い。そして、その中に携帯電話機等を受信可能な状態にして入れておき、そのバッグ内の携帯電話機に受信をさせるという使い方がされる場合がある。そのようにした場合、例えば電子メールが入れば、その電子メールを受信することができる。また、通常の携帯電話による連絡が入ったら、そのバッグを開いて通話をすることも可能である。
【０００３】
ところで、バッグには、皮革、布、合成樹脂等からなるものがあるが、また、金属からなるものもある。そして、皮革、布、合成樹脂等からなるものは上述した使い方、即ち、内部に携帯電話機に入れておき、携帯電話機にメール、電話等があった場合、それを受信するようにすることができる。
しかしながら、金属からなるバッグの場合、その金属が電波に対するシールド（電磁シールド）となるので、内部の携帯端末、例えば携帯電話機による受信を阻む。従って、従来においては、金属製バッグについては携帯電話機等の携帯端末を受信可能な状態にして入れて使用するという使い方はされなかった。尚、金属製バッグ或いは金属製ケースに携帯電話機を入れた場合に受信が妨げられるという点に着目した発明について出願先行調査をしたが、発見されなかった。
【０００４】
しかし、金属と、ケース又は鞄と、収納又は内部と、携帯と、電話と、受信と、をキーワードとして検索したところ、下記の特許文献１〜３が検索された。
【特許文献１】特開２００２−１３５０２０号公報
【特許文献２】特開２００２−０５０９１４号公報
【特許文献３】特開平１１−３１２８９１号公報
【発明の開示】
【発明が解決しようとする課題】
【０００５】
上述したように、金属からなるバッグの場合、その金属が電波に対するシールド（電磁シールド）となり、内部の携帯電話機における電波の受信を阻まれるが、金属からなるバッグにおいても内部の携帯電話機が電波の受信ができるようにする要請があった。しかしながら、そのような要請に応える技術がなかった。
【０００６】
本発明はこのような問題を解決すべく為されたもので、一部又は全体が金属からなる金属製バッグにおいて、内部に通信機能のある携帯端末を入れても携帯端末が電波を受信することができるようにすることを目的とする。
【課題を解決するための手段】
【０００７】
本発明金属製バッグは、内部の携帯端末、例えば携帯端末保持部に保持された携帯端末のアンテナ部分に一端部が接し、他端部が外部に近接乃至露出するケーブルを有することを特徴とする。
従って、本発明金属製バッグによれば、金属製バッグ外部と、携帯端末のアンテナ部分との間がケーブルにより接続されるので、バッグ外部と携帯端末との間の電波の伝達が可能となる。依って、バッグ内部の携帯端末が受信可能となる。
【発明の効果】
【０００８】
請求項１、２の金属製バッグによれば、金属製バッグ外部と、携帯端末のアンテナ部分との間がケーブルにより接続されるので、バッグ外部と携帯端末との間の電波の伝達が可能となる。
請求項３の金属製バッグによれば、開閉部に閉じ状態でも内部と外部を連通させるスリットがあり、上記ケーブルの上記他端部が上記スリット近傍に位置しているので、そのスリットが電磁的露出部となり、電波の伝播可能性が生じる。従って、より良好な受信が可能となる。
【０００９】
請求項４の金属製バッグによれば、開閉部に絶縁性を有する材料からなるパッキングがあるので、そのパッキングが電磁的露出部となり、そして、上記ケーブルの上記他端部が上記パッキング近傍に位置しているので、電磁的露出部を成すパッキングを通じて入る電波をケーブルを介して携帯端末のアンテナ部分に伝えることができ、良好な受信が可能となる。
【発明を実施するための最良の形態】
【００１０】
本発明は、基本的に、内部の携帯端末のアンテナ部分に一端部が接し、他端部が外部に近接乃至露出するケーブルを有するというものであるが、好ましくは、内部に携帯端末保持部を設け、そこに携帯端末を収納するようにすることが好ましい。また、携帯端末保持部を設けた場合において、その近傍に、その携帯端末保持部に保持された携帯端末のアンテナが係合し結合し得るアンテナ係合部を設け、そのアンテナ係合部にケーブルの一端を接続しておくようにすると良い。
金属製バッグには、開閉部にパッキングを有するタイプのものと、パッキングを有しないタイプのものがあり、開閉部にパッキングを有するタイプのものは、ケーブルの携帯端末のアンテナ部分に接続される端部と反対側の端部（反携帯端末側端部）をパッキング近傍に位置させるようにすると良い。
【００１１】
また、パッキングを有しない場合には、開閉部に閉じ状態でも内部と外部を連通させるスリット（切断部）を設け、ケーブルの反携帯端末側端部を該スリット近傍に位置させる。というのは、スリットが金属製バッグの電磁的露出部となるからである。該スリットは直線的なものがよい。携帯電話機の場合、電波の周波数が約１．５ＧＨｚであり、それに対して好ましいスリット長はおよそ数ｃｍ〜２０ｃｍであるからである。尚、スリット長はそれより長くても良いが、長すぎると、バッグとしての機能に支障を来す虞がある。
尚、ケーブルはより太く、そして、表皮効果を利用できる表面積の大きい網線が良い。但し、ケーブル長は短い方が好ましい。また、表面部での伝搬ロスが大きくならないように、高周波抵抗の小さい金属、例えば銅等によりケーブルを形成することが好ましい。
【実施例１】
【００１２】
以下、本発明を図示実施例に従って詳細に説明する。
図１（Ａ）〜（Ｃ）は本発明金属製バッグの第１の実施例を示すもので、（Ａ）は開いた状態を示す斜視図、（Ｂ）は携帯端末保持部を拡大して示す斜視図、（Ｃ）は金属製バッグ内部に設けられたケーブルの一端部から他端部に至る部分を示す断面図である。
２は金属製バッグ、４は金属製バッグ本体で金属からなる。６は金属製バッグ蓋部で金属からなる。８、８は金属製バッグ本体部４及び金属製バッグ蓋部６の縁部に設けられたパッキングであり、例えばゴム乃至合成樹脂からなり、電気的絶縁性を有する。従って、このパッキング８が電磁的露出部となる。
【００１３】
１０は金属製バッグ蓋部６の内面に設けられた携帯端末保持部であり、携帯端末保持ポケット１２とアンテナ係合部１４からなる。携帯端末保持ポケット１２は、通信機能を有する携帯端末、例えば携帯電話機１６を収納する。アンテナ係合部１４は、金属からなり、該携帯電話機１４のアンテナ１８の先端部の稍下の金属露出部が係合して結合され得るようにされている。
２０はケーブルで、例えば銅による網線からなり、絶縁材で表面が被覆されている。そして、その一端部は芯部が被覆から露出せしめられ、その露出する芯部が上記アンテナ係合部１４に接続固定されている。該ケーブル２０は、金属製バッグ蓋部６の内面に沿って上記アンテナ係合部１４と金属製バッグ蓋部６の上記パッキング８との間の部分に固定されており、従って、該ケーブル２０の他端部（反携帯端末側端部）はパッキング８近傍に位置しているのである。
【００１４】
従って、このような金属製バッグ２によれば、バッグとして閉じた状態でも、金属体からなる本体４と蓋部６との間には絶縁性材料からなるパッキング８が介在し、導電体としては本体４・蓋部６間にパッキング８・８による間隙が生じる。従って、その間隙を通じて電波が稍侵入できる。そして、その間隙近傍にケーブル２０の他端部が位置せしめられている。
依って、上述したように、そのパッキング８が電磁的露出部となるので、バッグ２外部と携帯端末である携帯電話機１４との間の電波の伝達が可能となる。上述したように、パッキング８は金属製バッグ２にとっての電磁的露出部となる。従って、携帯電話機１４による受信が可能となる。
【実施例２】
【００１５】
図２は本発明金属製バッグの第２の実施例２ａの要部を示す側面図である。本実施例は、本発明をパッキングを有しないタイプの金属製バッグに適用したものである。
図２において、４は金属製バッグ本体、６は金属製バッグ蓋部、２２はその金属製バッグ本体４及び金属製バッグ蓋部６に渡って形成されたスリットで、外部から電波が入り込み得るようにするためのもので、電磁的露出部となる。そして、そのスリット２２は例えば数ｃｍ〜２０ｃｍ程度の長さを有する。というのは、その長さだと、携帯電話の約１．５ＧＨｚ程度の周波数の電波が有効にバッグ内に入り込み得るからである。
【００１６】
そして、ケーブル２０の反携帯端末側端部はそのスリット２２と対応するところに位置している。
このような金属製バッグ２ａによれば、スリット２２に入り込もうとする電波をケーブル２０を通じて図２において図示しない金属製バッグ２ａ内部の携帯電話機のアンテナに導くことができる。
従って、良好な受信が可能である。
【００１７】
尚、バッグ内部に携帯端末保持部１０は必ずしも設ける必要がない。例えば、バッグ内部に携帯電話機等の携帯端末を普通の荷物のように入れ、そこに、バッグ内部にケーブルを一端をフリーにし、他端部、即ち、バッグ開閉部近傍側端部を少なくとも固定し、そして、フリーな一端にクリップを固定しておくこととし、内部に収める携帯電話機等の携帯端末のアンテナをそのクリップで挟むようにして受信可能にするという態様もあり得る。
【産業上の利用可能性】
【００１８】
本発明は、一部又は全体が金属からなる金属製バッグ一般に適用できる。
【図面の簡単な説明】
【００１９】
【図１】（Ａ）〜（Ｃ）は本発明金属製バッグの第１の実施例を示すもので、（Ａ）は開いた状態を示す斜視図、（Ｂ）は携帯端末保持部を拡大して示す斜視図、（Ｃ）は金属製バッグ内部に設けられたケーブルの一端部から他端部に至る部分を示す断面図である。
【図２】本発明金属製バッグの第２の実施例の要部を示す側面図である。
【符号の説明】
【００２０】
２、２ａ・・・金属製バッグ、４・・・本体、６・・・蓋部、８・・・パッキング（電磁的露出部）、１０・・・携帯端末、１４・・・アンテナ係合部、１６・・・通信機能を有する携帯端末（携帯電話機）、１８・・・アンテナ、２０・・・ケーブル、２２・・・スリット（電磁的露出部）。
【図１】
2005073913.tif 000003
【図２】
2005073913.tif 000004